(57)【要約】【課題】  上蓋と下蓋とが連動して開閉し、常時は上蓋が開く隙間を一定間隔に制限するロック機構を備えた避難用ハッチにおいて、緊急時に前記上蓋のロック機構を上下階いずれの側からも解除でき、かつ使用後の復元が上蓋を閉じる一操作のみで行える避難用ハッチを提供する。【解決手段】  避難用ハッチの上蓋の裏面に固着されたロック金具の貫通長溝の閉塞部を係止して一定間隔以上開かないようにする係止片を有するロックレバーが、上階からは上蓋と函体の間に生じる隙間から手を入れてロックレバーの水平部分押すことで、下階からはロック開放レバーの牽引紐を引き下げることで回動させて、ロックを解除して避難用ハッチを開放し、閉鎖時には上蓋を閉じるという操作のみによって上蓋が確実にロックされてその危険防止機能が回復され、また、引き続き下階からの避難用ハッチの開放を可能とした避難用ハッチ。【選択図】  図１
2010110501.tif 000002
【特許請求の範囲】
【請求項１】
建物の上階と下階の間のベランダや床に穿設された四角形の開口部に配設され、リンク機構２０で連結され連動して開閉する上蓋２と下蓋３と、前記上蓋２の前方部左右いずれか一方の側端部付近の裏面に固着された貫通長溝５ａを有するロック金具５と、前記ロック金具５が固着された側のハッチ函体４の内側面前方部に固着されたベース８に枢設され、常時は上蓋２の前記ロック金具５の貫通長溝５ａに挿入され、上蓋２を上部に引き上げて開こうとしたときに前記ロック金具５の貫通長溝５ａ下部の閉塞部を係止して一定間隔以上開かないようにする係止片６ｂを有するロックレバー６と、前記ロックレバー６が枢設された側のハッチ函体４の内側面後方部に枢設され、前記ロックレバー６を回動して係止片６ｂを前記ロック金具５の貫通長溝５ａから離脱させるためのロック開放用レバー７とを備えた避難用ハッチ１において、
前記ロックレバー６が、その回動軸となるボルト１１に周設されたコイルばね９によって避難ハッチ１の上蓋２を開閉するとき以外は、前記係止片６ｂを所定の位置に留まるよう付勢されており、前記ロック開放用レバー７の操作によって前記コイルばね９の付勢より大きな押圧を与えることにより前記ロックレバー６を回動して係止片６ｂをロック金具５の貫通長溝５ａから離脱させる円板６ｃを枢設してなり、
また、前記ロック開放用レバー７が、その先端部に垂設され、長方形の下部前方の角が斜めに切断された５角形状の板状体でなり、前記斜めに切断されて形成された辺に、該板状体の面に直交するように立設された長方形の開放突起７ｄを有するロック開放金具７ｃを備え、
避難用ハッチ１を開閉する際、前記ロック開放用レバー７の先端部に垂設されたロック開放金具７ｃの開放突起７ｄが、前記ロックレバー６に枢設された円板６ｃに当接して押圧することにより、該ロックレバー６をボルト１１を軸として回動させ、前記係止片６ｃを貫通長溝５ａの位置から離脱させるように構成し、
避難用ハッチ１を閉鎖する際、上蓋２を閉じるという操作のみによって上蓋２を確実にロックして上階における危険の防止機能を回復させ、また、開放用レバー本体７ａを確実に開放用レバー係止部１０に収容し、引き続き下階から避難用ハッチ１の開放を可能にしてなることを特徴とする避難用ハッチ。
【請求項２】
前記ロックレバーが、
多角形状の直立した板状体でなる駆体部６ａと、
前記駆体部６ａの上辺の一方端部から水平方向に突出し、さらに上方に折り曲げられた板状体の先端に嘴状の形成された係止片６ｂと、
前記係止片６ｂが設けられた側とは異なる駆体部６ａの上辺の端部に設けられ、前記ロック開放用レバー７の操作によってロックレバー６に回動力を与える円板６ｃを枢設してなる円板取付部６ｄと、
前記駆体部６ａの下辺に前記ベース８に突設され、前記ロックレバーの過度の回動を抑止するストッパー８ａに当接する下部突起とが一体に形成されてなり、
さらに、前記駆体部６ａの下部に穿設された貫通孔６ｆに、該ロックレバーの回動軸となるボルト１１を挿通した後、前記ボルト１１に、両端が前記駆体部６ａとベース８のストッパー８ａとに固定され、避難用ハッチ１の上蓋２を開閉するとき以外は前記係止片６ｂを所定の位置に留めおくコイルばね９を周設してベース８に枢着されていることを特徴とする請求項１に記載の避難用ハッチ。
【請求項３】
前記ロック開放用レバー７が、
溝形断面の棒状体でなる開放用レバー本体７ａと、前記開放用レバー本体７ａの後端部寄りに固設され、前記開放用レバー本体７ａをハッチ函体４の側面に枢設するための腕木部７ｂとで構成され、
かつ、前記開放用レバー本体７ａの後端部には下方に引っ張ることによって上蓋２と下蓋３を開く牽引紐７ｆが吊設され、
またその先端部には、前記開放用レバー本体７ａに垂設され、前記ロックレバー６の円板６ｃを押圧して上蓋２のロック金具５の貫通長溝５ａから前記ロックレバー６の係止片６ｂを離脱させるよう回動させる前記開放突起７ｄを有するロック開放金具７ｃと、
前記上蓋２が前記ロック開放用レバー７によってロックが解かれ上方に持ち上げられる際、前記開放用レバー本体７ａの先端と上蓋２の裏面との摺動抵抗を減少させるためのローラー７ｅとが配設されてなることを特徴とする請求項１又は２に記載の避難用ハッチ。
【請求項４】
前記ハッチ函体４の内側面に、不使用時の前記開放用レバー本体７ａを安定に保持して収容するための開放用レバー係止部１０を備えてなることを特徴とする請求項１〜３のいずれか１項に記載の避難用ハッチ。
【発明の詳細な説明】
【技術分野】
【０００１】
建物の上階と下階の間のベランダや床に穿設された四角形の開口部に配設され、リンク機構で連結され連動して開閉する上蓋と下蓋を備えた避難用ハッチにおいて、常時はロック機構によってロックされている上蓋を避難・救助時に上階、下階のいずれの側からも開放でき、かつ使用後、上蓋を閉鎖する一操作のみによって、前記ロック機構が完全に機能するようになるとともに、次回の避難・救助時においても上階、下階のいずれからも支障なく開放可能となる避難用ハッチに関する。
【背景技術】
【０００２】
高層マンション等の建築物においては、火災発生時などの緊急時に住民や居住者等が上階から下階に迅速に避難して安全に屋外に逃げられるよう、ベランダや上階の床などに避難用ハッチが設置される。
この避難用ハッチには、避難用に穿設された開口部が下階の火災を上階に延焼させない防火対策と、上階からの人の転落防止対策のため耐火性に富んだ上蓋を設け、常時は前記ハッチを封鎖しておく必要がある。
【０００３】
また、前記避難用ハッチ内には折りたたみ式の梯子が収納されているので、下階から前記梯子が容易に操作できるようであると、泥棒等が前記梯子を使用して下階から上階に簡単に侵入でき防犯上問題となる。そこで前記避難用ハッチに下蓋を設け、かつ下階からは下蓋の開放操作ができないように上蓋と下蓋をリンク機構で連結し、上蓋の開放に連動して下蓋が開くという構造のものが広く用いられているが、これにも緊急時に消防隊員や救助隊員がこの避難用ハッチを用いて下階から上階に行くしか手段のない場合には前記下蓋を破壊しなければならないという問題があった。
【０００４】
一方、避難用ハッチの上蓋が容易に開放できると、子供等の不用意な操作によってハッチが開かれ転落のおそれがある。したがって、常時は上蓋の裏面に配設した危険防止用金具に、ハッチ函体にその一端が固定されたくさりやリング等を係止しておき、避難時には前記上蓋を持ち上げたときに生じる上蓋とハッチ函体の隙間から手を差し入れて前記危険防止用金具からくさりやリングを外すようにした危険防止ロック機構（チャイルドロック）を採用した避難用ハッチも広く使用されている。しかしこれも、消防隊員や救急隊員が下階から上階に行こうとする場合に、前記危険防止ロック機構（チャイルドロック）が、隊員の頭部後方に位置するためロックを解除する操作が難しいという問題がある。まして上蓋と下蓋とがリンク機構によって連動する構造のものであれば，前述のように下蓋を破壊せねばならず、ロック解除の操作がより困難になるのは想像に難くない。
【０００５】
これらの問題に対する一つの解決策として、特開平１０−１２７７９６号公報に「ハッチ函体の開口部に上蓋を枢支し、一対の側板の一端部をハッチ函体下面開口縁部に揺動自在に枢支し、該側板には下蓋を枢支する。上蓋と側板とは左右一対のリンク機構で連結し、側板を上蓋の開放動作に連動させる一方、側板に下蓋とは下階からロック解除操作可能なロック機構によってロックし、ロック解除時に下蓋のみの開放可能とする」避難用ハッチの発明が開示されている。すなわち側板と下蓋とのロックを解除することによって上蓋と下蓋の連結を解除し、下蓋のみ下階から開放できるようにしたものである。
【特許文献１】特開平１０−１２７７９６号公報
【０００６】
しかし、上記発明もロック解除には専用のキーを必要とし、またキーを使用するためには前記避難用ハッチの下蓋に手が届く位置まで登らなければならないため、避難梯子は、避難用ハッチ内に収容できる折り畳み型のものでなく、ハッチ函体の開口内側面の上方部にその上端が固定され、かつ下蓋とハッチ函体開口縁との間の隙間を通って下方に延び、その下方部が建築物の壁面に固定されたものが使用されることとなり、避難用ハッチを設置したベランダ等の利用可能スペースを減少させるだけでなく、幼児が登り降りして遊ぶ危険性を伴うという問題がある。
また、下階から開放操作ができるのは下蓋のみで、上蓋の開放は梯子を登って押し上げねばならず、危険防止ロック機構を備えた避難用ハッチでは、頭部後方上部に位置する前記危険防止ロック機構を後ろ手で、かつ片手で解除しなければならず、不自然な姿勢での困難な作業となり緊急を要する救出作業を妨げるおそれがある。
【０００７】
そこで本願出願人は、先に「建物のベランダや床に穿設された開口部に配設され、リンク機構で連結され連動して開閉する上蓋と下蓋を備えた避難用ハッチにおいて、前記上蓋の裏面に固着された貫通長溝を有するロック金具と、前記ロック金具の貫通長溝に挿入され、上蓋を上部に引き上げて開こうとしたときに前記ロック金具の貫通長溝の閉塞部を係止して一定間隔以上開かないようにする係止片を有するロックレバーと、下階からの操作によって前記係止片を前記ロック金具の貫通長溝から離脱させるロック開放用レバーとを備えてなる避難用ハッチ」を発明した（特開２００７−５００８０号公報参照）。
この発明の避難用ハッチは、上階からは上蓋先端部を持ち上げることによって生じる上蓋とハッチ函体との一定間隔の隙間から手を差し込み、前記ロックレバーの開放用突起を押し下げて該ロックレバーを回動させて前記ロック金具の貫通長溝に挿入された係止片を前記貫通長溝から離脱させ、また、下階からは開放用レバー本体の後端部に吊設された牽引紐を下方に引くことによって函体に枢設された開放用レバー本体の先端で上蓋の先端部を持ち上げるとともに、該ロック開放用レバーに配設されたラチェット開放金具下部突起が、前記ロックレバーの下辺端部を持ち上げて該ロックレバーを回動させ、前記係止片を貫通長溝から離脱させる作用によって、避難用ハッチの上蓋と下蓋が開放できるようにしたものである。
【特許文献２】特開２００７−５００８０号公報
【発明の開示】
【発明が解決しようとする課題】
【０００８】
前記特開２００７−５００８０号公報で開示された本願出願人の発明は、避難用ハッチの開放が、上下いずれの階からも安全かつ迅速にでき、非常時の迅速な避難に大いに役立つものであるが、前記ロックレバーは、該ロックレバーの開放突起やロック開放用レバーの操作によって回動させると、その後はコイル状ばねの作用によって回動位置に留まる構造であったため、使用後の原状復帰には
《１》垂下した折り畳み型避難梯子を巻き上げてハッチ函体内に収容する。
《２》開放用レバー本体を開放用レバー止めに保持させる。
《３》ロックレバーを回動し、ロックレバー駆体部の下辺端部をラチェット開放金具の下部突起の上に、また係止片を前記ロック金具の貫通長溝に挿入する位置に配置する。
《４》上蓋と下蓋とを連動させながらハッチ函体の開口部を閉鎖する。
という手順を踏む必要があり、この手順を間違えると、ロックレバーの係止片がロック金具の貫通長溝に挿入されず安全を確保するはずのロック機構が機能しなかったり、ロック開放用レバーのラチェット開放金具が、ロックレバーの駆体部下辺端部の上に位置して、下階からの開放操作ができなくなったりするおそれがあった。
本発明は、上記の問題に鑑みてなされたもので、避難用ハッチ使用後は、上蓋の閉鎖という一操作のみによって、ロック金具の貫通長溝にロックレバーの係止片が挿入されロック機構が完全に機能するようになるとともに、開放用レバー本体が正常位置に配置され、次回の避難・救助時においても上階、下階のいずれからも、前記避難用ハッチを支障なく開放できる安全性が高く操作性が容易な、優れた避難用ハッチを提供しようとするものである。
【課題を解決するための手段】
【０００９】
本発明者は、上記課題を下記の手段により解決した。
（１）建物の上階と下階の間のベランダや床に穿設された四角形の開口部に配設され、リンク機構で連結され連動して開閉する上蓋と下蓋と、前記上蓋の前方部左右いずれか一方の側端部付近の裏面に固着された貫通長溝を有するロック金具と、前記ロック金具が固着された側のハッチ函体の内側面前方部に固着されたベースに枢設され、常時は上蓋の前記ロック金具の貫通長溝に挿入され、上蓋を上部に引き上げて開こうとしたときに前記ロック金具の貫通長溝下部の閉塞部を係止して一定間隔以上開かないようにする係止片を有するロックレバーと、前記ロックレバーが枢設された側のハッチ函体の内側面後方部に枢設され、前記ロックレバーを回動して係止片を前記ロック金具の貫通長溝から離脱させるためのロック開放用レバーとを備えた避難用ハッチにおいて、
前記ロックレバーが、その回動軸となるボルトに周設されたコイルばねによって避難ハッチの上蓋を開閉するとき以外は、前記係止片を所定の位置に留まるよう付勢されており、前記ロック開放用レバーの操作によって前記コイルばねの付勢より大きな押圧を与えることにより前記ロックレバーを回動して係止片６ロック金具の貫通長溝から離脱させる円板を枢設してなり、
また、前記ロック開放用レバーが、その先端部に垂設され、長方形の下部前方の角が斜めに切断された５角形状の板状体でなり、前記斜めに切断されて形成された辺に、該板状体の面に直交するように立設された長方形の開放突起を有するロック開放金具を備え、
避難用ハッチを開閉する際、前記ロック開放用レバーの先端部に垂設された開放金具の開放突起が、前記ロックレバーに枢設された円板に当接して押圧することにより、該ロックレバーをボルトを軸として回動させ、前記係止片を貫通長溝の位置から離脱させるように構成し、
避難用ハッチを閉鎖する際、上蓋を閉じるという操作のみによって上蓋を確実にロックして上階における危険の防止機能を回復させ、また、開放用レバー本体を確実に開放用レバー係止部に収容し、引き続き下階から避難用ハッチの開放を可能にしてなることを特徴とする避難用ハッチ。
【００１０】
（２）前記ロックレバーが、
多角形状の直立した板状体でなる駆体部と、
前記駆体部の上辺の一方端部から水平方向に突出し、さらに上方に折り曲げられた板状体の先端に嘴状の形成された係止片と、
前記係止片が設けられた側とは異なる駆体部の上辺の端部に設けられ、前記ロック開放用レバーの操作によってロックレバーに回動力を与える円板を枢設してなる円板取付部と、
前記駆体部の下辺に前記ベースに突設され、前記ロックレバーの過度の回動を抑止するストッパーに当接する下部突起とが一体に形成されてなり、
さらに、前記駆体部の下部に穿設された貫通孔に、該ロックレバーの回動軸となるボルトを挿通した後、前記ボルトに、両端が前記駆体部とベースのストッパーとに固定され、避難用ハッチの上蓋を開閉するとき以外は前記係止片を所定の位置に留めおくコイルばねを周設してベースに枢着されていることを特徴とする前項（１）に記載の避難用ハッチ。
【００１１】
（３）前記ロック開放用レバーが、
溝形断面の棒状体でなる開放用レバー本体と、前記開放用レバー本体の後端部寄りに固設され、前記開放用レバー本体をハッチ函体の側面に枢設するための腕木部とで構成され、
かつ、前記開放用レバー本体の後端部には下方に引っ張ることによって上蓋と下蓋を開く牽引紐が吊設され、
またその先端部には、前記開放用レバー本体に垂設され、前記ロックレバーの円板を押圧して上蓋のロック金具の貫通長溝から前記ロックレバーの係止片を離脱させるよう回動させる斜傾した開放突起を有するロック開放金具と、
前記上蓋が前記ロック開放用レバーによってロックが解かれ上方に持ち上げられる際、前記開放用レバー本体の先端と上蓋の裏面との摺動抵抗を減少させるためのローラーとが配設されてなることを特徴とする前項（１）又は（２）に記載の避難用ハッチ。
【００１２】
（４）前記ハッチ函体の内側面に、不使用時の前記開放用レバー本体を安定に保持して収容するための開放用レバー係止部を備えてなることを特徴とする前項（１）〜（３）のいずれか１項に記載の避難用ハッチ。
【発明の効果】
【００１３】
本発明の避難用ハッチによって次のような効果が期待できる。
（ア）建物の上階と下階の間のベランダや床に穿設された四角形の開口部に配設され、リンク機構で連結され連動して開閉する上蓋と下蓋と、前記上蓋の前方部左右いずれか一方の側端部付近の裏面に固着された貫通長溝を有するロック金具と、前記ロック金具が固着された側のハッチ函体の内側面前方部に固着されたベースに枢設され、常時は上蓋の前記ロック金具の貫通長溝に挿入され、上蓋を上部に引き上げて開こうとしたときに前記ロック金具の貫通長溝下部の閉塞部を係止して一定間隔以上開かないようにする係止片を有するロックレバーと、前記ロックレバーが枢設された側のハッチ函体の内側面後方部に枢設され、前記ロックレバーを回動して係止片を前記ロック金具の貫通長溝から離脱させるためのロック開放用レバーとを備えた避難用ハッチにおいて、
前記ロックレバーが、その回動軸となるボルトに周設されたコイルばねによって避難ハッチの上蓋を開閉するとき以外は、前記係止片を所定の位置に留まるよう付勢されており、前記ロック開放用レバーの操作によって前記コイルばねの付勢より大きな押圧を与えることにより前記ロックレバーを回動して係止片をロック金具の貫通長溝から離脱させる円板を枢設してなり、
また、前記ロック開放用レバーが、その先端部に垂設され、長方形の下部前方の角が斜めに切断された５角形状の板状体でなり、前記斜めに切断されて形成された辺に、該板状体の面に直交するように立設された長方形の開放突起を有するロック開放金具を備え、
避難用ハッチを開閉する際、前記ロック開放用レバーの先端部に垂設された開放金具の開放突起が、前記ロックレバーに枢設された円板に当接して押圧することにより、該ロックレバーをボルトを軸として回動させ、前記係止片を貫通長溝の位置から離脱させるように構成し、
避難用ハッチを閉鎖する際、上蓋を閉じるという操作のみによって上蓋を確実にロックして上階における危険の防止機能を回復させ、また、開放用レバー本体を確実に開放用レバー係止部に収容し、引き続き下階から避難用ハッチの開放を可能にしているので、
避難用ハッチ使用後においても、上蓋を閉めればロックレバーの係止片が確実にロック金具の貫通長溝に挿入され、その後は上蓋を不用意に引き上げても一定間隔以上は開かず、避難用ハッチからの転落の危険を防止することができる。
【００１４】
（イ）本避難用ハッチの上蓋の端部を引き上げると、上蓋に固着された前記ロック金具の貫通長溝下部の閉塞部に前記ロックレバーの係止片が係止され、上蓋とハッチ函体との間に一定間隔の隙間が生じるようにしてあるので、その隙間から手を差し入れて前記ロックレバーの上辺から水平方向に突出し、さらに上方に折り曲げられその先端に嘴状の係止片が設けられた板状体の水平部分を押し下げて前記係止片ををロック金具の貫通長溝から離脱させつつ、引き続き上蓋を引き上げることによって、上蓋とこれに連動する下蓋とを上階で同時に開放でき、火災などの緊急時にも迅速かつ安全な避難に役立つ。
【００１５】
（ウ）前記ロック開放用レバーが、
溝形断面の棒状体でなる開放用レバー本体と、前記開放用レバー本体の後端部寄りに固設され、前記開放用レバー本体をハッチ函体の側面に枢設するための腕木部とで構成され、
かつ、前記開放用レバー本体の後端部には下方に引っ張ることによって上蓋と下蓋を開く牽引紐が吊設され、
またその先端部には、前記開放用レバー本体に垂設され、前記ロックレバーの円板を押圧して上蓋のロック金具の貫通長溝から前記ロックレバーの係止片を離脱させるよう回動させる斜傾した開放突起を有するロック開放金具と、
前記上蓋が前記ロック開放用レバーによってロックが解かれ上方に持ち上げられる際、前記開放用レバー本体の先端と上蓋の裏面との摺動抵抗を減少させるためのローラーとが配設されているので、
下階から前記牽引紐を引き下げることによって、前記係止片がロック金具の貫通長溝から離脱し、さらに前記ロック開放用レバーの先端が上蓋の裏面を押し上げるので、上蓋とこれに連動する下蓋とを、前記牽引紐を引き下げるという一動作で一挙に開放でき、下階からの消防隊員や救助隊員の上階への進出が迅速・容易に行え、迅速な消火、救命活動が可能になる。
さらに、本避難用ハッチを地階の天井に配設することによって、地階から地上階への迅速な避難も可能になる。
【００１６】
（エ）また、前記牽引紐を引き下げて行った避難用ハッチが全開された後には、前記ロック開放用レバーの先端部に配設されたロック金具の開放突起は、前記コイルばねの作用によって元の位置に復帰したロックレバー駆体部に枢設された円板の円周面に当接して保持される状態になっており、避難用ハッチ使用後に前記上蓋を閉じると該ロック開放用レバーの先端も上蓋によって押し下げられ、前記ロック開放金具の開放突起も前記円板を回転させながら下降するので、前記円板を介して前記ロックレバーをその係止片がロック金具の貫通長溝から離れる向きに回動させ、さらに下降が続いて開放突起と円板との接触が無くなると、前記コイルばねの作用によって前記係止片がロック金具の貫通長溝に確実に挿入され、また、前記開放用レバー本体も確実に開放用レバー係止部に収容される。したがって、避難用ハッチ使用後の原状復帰が、上蓋の閉鎖という一操作のみで完全、確実に実施でき、従来手順を間違えることによる安全への不安が皆無になる。
【００１７】
（オ）さらに、従来下階から消防隊員や救急隊員の上階への進出の際に行われていた下蓋の開放（又は破損）、上蓋ロックの解除、そして上蓋の開放という一連の作業が、牽引紐を引き下げるという一動作ですむことに加えて、下蓋を開放するための足場として必要とされた建物壁面への梯子の設置が不要となり、また、足場の梯子につかまりながら頭部後方上部に位置する上蓋ロック機構を片手で解除するという不自然な姿勢での困難な作業がなくなるので、消防隊員や救助隊員の作業性を高め、かつ危険度の減少に役立つ。
【００１８】
（カ）前記（オ）の効果に加え、下階から消防隊員や救急隊員の上階への進出する際に、下蓋が破壊されないので、下階からの救助訓練が容易に繰り返し行え、住民の安心感の醸成に役立つ。
【００１９】
（キ）さらにまた、上蓋のロック解除と、上蓋と下蓋との開放とが下階から牽引紐を引き下げるという一動作ですむことから足場として建物壁面へ設置されていた梯子が不要となるので、避難用ハッチの設置場所付近の整理が図れ、また幼児などが壁面に設置された梯子を登り降りする危険を皆無にできる。
【発明を実施するための最良の形態】
【００２０】
本発明の避難用ハッチを実施するための最良の形態を、実施例の図面に基づいて説明する。
図１は本発明の避難用ハッチの斜視図、図２は本発明の避難用ハッチの上蓋のロック機構及びロック開放機構の構造図、図３はロックレバーの組立構成図、図４（ａ）〜図４（ｃ）は本発明の避難用ハッチを上階から開放する場合の作用説明図、図４（ｄ）〜（ｆ）は上階から開放した本発明の避難用ハッチを閉鎖する場合の作用説明図、図５（ａ）〜（ｃ）は本発明の避難用ハッチを下階から開放する場合の作用説明図、図５（ｄ）〜（ｆ）は下階から開放した本発明の避難用ハッチを閉鎖する場合の作用説明図
である。
図において、１は避難用ハッチ、２は上蓋、３は下蓋、３ａは切り欠き、４はハッチ函体、５はロック金具、５ａは貫通長溝、６はロックレバー、６ａは駆体部、６ｂは係止片、６ｂ’は水平部分、６ｃは円板、６ｄは円板取付部、６ｅは下辺突出部、６ｆは貫通孔、７はロック開放用レバー、７ａは開放用レバー本体、７ｂは腕木部、７ｃはロック開放金具、７ｄは開放突起、７ｅはローラー、７ｆは牽引紐、８はベース、８ａはストッパー、９はコイルばね、１０は開放用レバー係止部、１１はボルト、２０はリンク機構である。
【００２１】
本発明の避難用ハッチ１は、図１及び図２に示すように、ハッチ函体４の上下の開口部にそれぞれ上蓋２及び下蓋３がリンク機構２０で連結されて連動して開閉するように枢支されてなり、そして前記上蓋２の前方の左右いずれか一方の側端部付近の裏面には貫通長溝５ａを有するロック金具５が固着されている。
また、前記上蓋２にロック金具５が固着された側のハッチ函体４の内側面には、前記上蓋２を上部に引き上げて開こうとしたときに前記ロック金具５の貫通長溝５ａに挿入された係止片６ｂ（図３参照）が前記ロック金具５の貫通長溝５ａの閉塞部を係止し、前記上蓋２が一定間隔以上開かないようにするロックレバー６が、ベース８を介して枢設されている。
さらに、前記ロックレバー６が枢設された側のハッチ函体４の内側面後方部には、前記ロックレバー６を回動して係止片６ｂを前記ロック金具５の貫通長溝５ａから離脱させるためのロック開放用レバー７が枢設されている。
【００２２】
前記ロックレバー６は、図３に見られるように、多角形状の直立した板状体でなる駆体部６ａと、前記駆体部６ａの上辺の一方端部から水平方向に突出しさらに上方に折り曲げられ、その先端に嘴状の係止片６ｂが構成された板状体と、前記係止片６ｂが設けられた一方端部と異なる端部に設けられ、前記ロック開放用レバー７の操作によってロックレバー６に回動力を与える円板６ｃを枢設してなる円板取付部６ｄと、前記駆体部６ａの下辺に前記ベース８のストッパー８ａに当接し、前記ロックレバー６のコイルばね９による過度の回動を阻止する下部突起とが一体に形成されてなり、かつ前記駆体部６ａの下部に、該ロックレバー６の回動軸となるボルト１１を挿通する貫通孔６ｆを設けている。
そして、前記ロックレバー６は、図３に示すように、躯体部６ａに穿設された貫通孔６ｆに挿通されたボルト１１にコイルばね９が周設された後にベース８に枢設され、さらにこのベース８がハッチ函体４の内側面に装着されることによって、ハッチ函体４に固定される。なお、前記コイルばね９は、図に見られるように、その一端はロックレバー６の躯体部６ａのばね係止孔に、多端はベース８のストッパー８ａに設けられたばね係止孔に挿通され固定される。
【００２３】
前記ロック開放用レバー７は、図１に示すように、溝形断面の棒状体でなる開放用レバー本体７ａと、前記開放用レバー本体７ａの中央より後部寄りに固設され、前記開放用レバー本体７ａをハッチ函体４の側面に枢設するための腕木部７ｂとで構成され、かつ、前記開放用レバー本体７ａが、その先端部に垂設され、長方形の下部前方の角が斜めに切断された５角形の板状体の、前記斜めに切断されて形成された辺に、該板状体の面に直交するように立設された長方形の開放突起７ｄを有するロック開放金具７ｃを備えてなり、
避難用ハッチ１を開閉する際、前記ロック開放用レバー７の先端部に垂設された開放金具７ｃと、
前記上蓋２が前記ロック開放用レバー７によってロックが解かれ上方に持ち上げられる際、前記レバー本体７ａの先端と上蓋２の裏面との摺動抵抗を減少させるためのローラー７ｅとが配設され、
また、前記開放用レバー本体７ａの後端部には下階から前記ロック開放用レバー７を操作するための牽引紐７ｆが下蓋３とハッチ函体４との間に設けた隙間３ａから操作可能に吊設されている。
さらに、平常時に前記開放用レバー本体７ａを収納、保持する開放用レバー係止部１０が前記ハッチ函体４の側面に固着されている。
【００２４】
本発明の避難用ハッチ１の開閉方法とその作用について図４（ａ）〜（ｆ）、及び図５（ａ）〜（ｆ）によって説明する。
本発明の避難用ハッチ１の上階からの開閉は次の操作手順によって行う。
まず、避難用ハッチ１を開く場合は、
〈１〉図４（ａ）に示すように閉じられた上蓋２の先端部を上方（矢印Ａの方向）に持ち上げる。すると上蓋２の裏面に固着されたロック金具５も引き上げられ、図４（ｂ）に示すように、前記ロック金具５の貫通長溝５ａの閉塞部がロックレバー６の係止片６ｂによって係止されるので、上蓋２はそれ以上は持ち上げられず、上蓋２とハッチ函体４との間に一定間隔の隙間を保って停止する。これによって子供などの不用意な操作によってハッチが開放されて転落事故を起こす危険を防止している。
〈２〉そこで、上蓋２の先端部を持ち上げたことで生じた上蓋２とハッチ函体４との一定間隔の隙間から手を差し込み、図４（ｂ）に矢印Ｂで示すように、ロックレバー６の駆体部６ａ上辺から水平方向に突出し、さらに上方に折り曲げられその先端に嘴状の係止片６ｂが設けられた板状体の水平部分６ｂ’（図３参照）を押し下げる。するとロックレバー６は図４（ｃ）に見られるようにボルト１１を回動軸として矢印Ｄで示す向きに回動し、係止片６ｂが前記ロック金具５の貫通長溝５ａから離脱する。したがって、前記係止片６ｂが設けられた板状体の水平部分６ｂ’を押し下げながら上蓋２を引き上げ、前記係止片６ｂが貫通長溝５ａの閉塞部から完全に離れたときに水平部分６ｂ’の押し下げを止め、ハッチ函体４に枢支された上蓋２を全開する。このとき、ロックレバー６は、図４（ｄ）に示すように、コイルばね９の作用によって元の位置に戻っている。
〈３〉上蓋２を開くことによってリンク機構２０（図１参照）で連結された下蓋３も連動して開放され、ハッチ内に折り畳んで収納した梯子の垂下が可能になる。
【００２５】
上記の手順によって上階から開放された避難用ハッチ１を閉じる場合は、
〈４〉垂下された折り畳み型避難用梯子を巻き上げて、ハッチ函内４に収容する。
〈５〉開放された上蓋２を下降させる。すると図４（ｅ）に示すように、上蓋２の裏面に固着されたロック金具５の貫通長溝５ａの閉塞部がロックレバー６の係止片６ｂの上端に当接し、その状態で保持される。
〈６〉そこで図４（ｅ）に矢印Ｂで示すように上蓋２を押し下げる。するとロック金具５の貫通長溝５ａの閉塞部が嘴状の係止片６ｂの上面を摺動して下降するので、ロックレバー６はボルト１１を回動軸として矢印Ｄで示す向きに回動し、図４（ｆ）に示すように係止片６ｂの先端が貫通長溝５ａの閉塞部側壁に当接することとなる。
〈７〉さらに上蓋２を押し下げると、係止片６ｃの先端が貫通長溝５ａの位置に達し、コイルばね９の作用によって貫通長溝５ａに挿入され、図４（ａ）に示した開放前の状態に戻り、避難用ハッチの閉鎖は完了する。
【００２６】
本発明の避難用ハッチ１の下階からの開閉は次の操作手順によって行う。
まず、避難用ハッチ１を開く場合は、
〈１’〉開放用レバー本体７ａの後端部に吊設された牽引紐７ｆの下方に配設された下蓋３の切り欠き３ａから先端に鈎を備えた鈎棒等を挿入して前記牽引紐７ｆに引っ掛け、前記牽引紐７ｆを図５（ａ）に矢印で示したように下方に引く。すると開放用レバー本体７ａの後端部が引き下げられ、ロック開放用レバー７が腕木部７ｂの枢支点を軸にして回動し、開放用レバー本体７ａの先端が上方に引き上げられ、該開放用レバー本体７ａの先端部に配設れたローラ７ｅが上蓋２に接触して上蓋２を押し上げるとともに、開放用レバー本体７ａの先端部に配設されたロック開放金具７ｃも上方に引き上げられ、図５（ｂ）に示すように、前記該ロック開放金具７ｃ下部の開放突起７ｄが前記ロックレバー６の円板６ｃの下端部に当接する。
〈２’〉さらに前記牽引紐７ｆを引き下げると、前記ロック開放金具７ｃの開放突起７ｄが前記ロックレバー６の円板６ｃを回転させながら上昇し、円板６ｃを介してロックレバー６に矢印Ｃで示す圧力を加え、前記ロックレバー６をボルト１１を回動軸として矢印Ｄの向きに回動させ、図５（ｃ）に示すように、係止片６ｂを前記ロック金具５の貫通長溝５ａから離脱させる。
〈３’〉その後も前記牽引紐７ｆを下方に引き下げ続けると、開放用レバー本体７ａの先端が上蓋２を押し上げ、上蓋２と、該上蓋２にリンク機構２０（図１参照）で連結された下蓋３とが全開され、ハッチ内に折り畳んで収納した梯子の垂下が可能になる。
この場合、上蓋２と下蓋３がリンク機構２０で連動可能に連結されているので、下蓋３が開くときに加わる重力が、前記牽引紐７ｆを引き下げる力を減少するのに役立つ。
なお、ロック開放用レバー７は、それが腕木部７ｂを介して避難ハッチの函体４に枢設されていることから、上蓋２と下蓋３全開するして牽引紐７ｆの引き下げを止めても前記開放用レバー７は直立静止した状態に保たれる。
【００２７】
上記手段によって下階から開放された避難ハッチを閉じる場合は、
〈４’〉垂下された折り畳み型避難用梯子を巻き上げて、ハッチ函体４内に収容する。
〈５’〉上蓋２の先端部を下降させる。すると前記ロック開放用レバー７は上蓋２に押され、その先端が自重で下降し、図５（ｄ）に示すように、ロック開放金具７ｃの開放突起７ｄの下端部が、前記ロックレバー６の円板６ｃの上端部に当接して止まった状態で保持される。
〈６’〉上蓋２をさらに下降させると、図５（ｅ）に示すように、上蓋２の裏面がロック開放用レバー７の先端部のローラ７ｅに接触する。
この状態で上蓋２を引き続き下降させると、ロック開放金具７ｃの開放突起７ｄが前記ロックレバー６の円板６ｃを回転させながら下降し、円板６ｃを介してロックレバー６に矢印Ｃで示す圧力を加え、前記ロックレバー６をボルト１１を回動軸として矢印Ｄの向きに回動させ、図５（ｆ）に示すように、係止片６ｂを前記ロック金具５の貫通長溝５ａから離脱させる。
〈７’〉さらに上蓋２が下降し、前記ロック開放金具７ｃの開放突起７ｄが円板６ｃを介してロックレバー６に与えていた圧力Ｃが無くなると、ロックレバー６はコイルばね９の作用によって元の位置に戻るので、係止片６ｂの先端は貫通長溝５ａに挿入され、図５（ａ）に示した開放前の状態に戻り、ロック開放用レバー７の開放用レバー本体７ａは開放レバー係止部１０に収容され避難用ハッチ１の閉鎖は完了する。
【００２８】
以上のように、本発明の避難用ハッチ１は、上蓋２と下蓋３とがリンク機構２０で連結されて上蓋２と下蓋３の開閉が連動して行われる避難用ハッチ１であり、危険防止のために上蓋２をロックする機構を備えるとともに、そのロックを上階、下階のいずれの側からも解除でき、かつ下階からは牽引紐７ｆを引き下げるという一操作だけで上蓋２と下蓋３を一度に開放でき、さらに避難用ハッチ１の使用後は、避難用梯子をハッチ函体４内に収納し、上蓋２を閉じるという操作のみによって上蓋２が確実にロックされ、その危険防止機能が回復し、また、引き続き下階からの避難用ハッチ１の開放を可能とするものとなっている。
【産業上の利用可能性】
【００２９】
本発明の避難用ハッチは、新築建造物はもちろんのこと、既設の避難用ハッチの改修用としても使用できる。
【図面の簡単な説明】
【００３０】
【図１】本発明の避難用ハッチの斜視図
【図２】本発明避難用ハッチの上蓋のロック機構及びロック開放機構の構造図
【図３】ロックレバーの組立構成図
【図４（ａ）】本発明の避難用ハッチを上階から開放する場合の作用説明図
【図４（ｂ）】本発明の避難用ハッチを上階から開放する場合の作用説明図
【図４（ｃ）】本発明の避難用ハッチを上階から開放する場合の作用説明図
【図４（ｄ）】上階から開放した本発明の避難用ハッチを閉鎖する場合の作用説明図
【図４（ｅ）】上階から開放した本発明の避難用ハッチを閉鎖する場合の作用説明図
【図４（ｆ）】上階から開放した本発明の避難用ハッチを閉鎖する場合の作用説明図
【図５（ａ）】本発明の避難用ハッチを下階から開放する場合の作用説明図
【図５（ｂ）】本発明の避難用ハッチを下階から開放する場合の作用説明図
【図５（ｃ）】本発明の避難用ハッチを下階から開放する場合の作用説明図
【図５（ｄ）】下階から開放した本発明の避難用ハッチを閉鎖する場合の作用説明図
【図５（ｅ）】下階から開放した本発明の避難用ハッチを閉鎖する場合の作用説明図
【図５（ｆ）】下階から開放した本発明の避難用ハッチを閉鎖する場合の作用説明図
【符号の説明】
【００３１】
１：避難用ハッチ
２：上蓋
３：下蓋
３ａ：切り欠き
４：ハッチ函体
５：ロック金具
５ａ：貫通長溝
６：ロックレバー
６ａ：駆体部
６ｂ：係止片
６ｂ’：水平部分
６ｃ：円板
６ｄ：円板取付部
６ｅ：下辺突出部
６ｆ：貫通孔
７：ロック開放用レバー
７ａ：開放用レバー本体
７ｂ：腕木部
７ｃ：ロック開放金具
７ｄ：開放突起
７ｅ：ローラー
７ｆ：牽引紐
８：ベース
８ａ：ストッパー
９：コイルばね
１０：開放用レバー係止部
１１：ボルト
２０：リンク機構
【図１】
2010110501.tif 000003
【図２】
2010110501.tif 000004
【図３】
2010110501.tif 000005
【図４（ａ）】
2010110501.tif 000006
【図４（ｂ）】
2010110501.tif 000007
【図４（ｃ）】
2010110501.tif 000008
【図４（ｄ）】
2010110501.tif 000009
【図４（ｅ）】
2010110501.tif 000010
【図４（ｆ）】
2010110501.tif 000011
【図５（ａ）】
2010110501.tif 000012
【図５（ｂ）】
2010110501.tif 000013
【図５（ｃ）】
2010110501.tif 000014
【図５（ｄ）】
2010110501.tif 000015
【図５（ｅ）】
2010110501.tif 000016
【図５（ｆ）】
2010110501.tif 000017